(57)【要約】【課題】セパレータが抜け出し難い、コンクリート型枠用セパレータ連結金具を提供すること。【解決手段】連結金具本体１１の前側面１１４の両側にセパレータ支持溝部１１４Ｃの中心に向かって突出する一対の突部１１４Ｌ１，１１４Ｒ１を設ける際、セパレータ支持溝部１１４Ｃの長手方向、すなわち図上鉛直方向において、左側前側面１１４Ｌにおける突部１１４Ｌ１の設置位置を、右側前側面１１４Ｒにおける突部１１４Ｒ１の設置位置より高くずらしている。そして、一対の突部１１４Ｌ１，１１４Ｒ１の先端部間の最小間隔を、ナット２ｃより内側のセパレータ２の軸部２ａの係止溝２ａ１の外径より小さくして、セパレータ２の軸部２ａの抜け止めを行うように形成している。【選択図】図３
2012122273.tif 000002
【特許請求の範囲】
【請求項１】
所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具であって、
コンクリート型枠に挿入され、型枠締付金具により当該コンクリート型枠の外側から締め付け固定されるネジ棒と、
上記ネジ棒先端に取り付けられた後側面と、左右両側面と、底面と、前側面とを有する上部開放形状で、上記コンクリート型枠用セパレータ端部を支持する連結金具本体とを有し、
上記連結金具本体は、
上記セパレータ端部のナットを収容するナット収容部と、
上記前側面の中央を縦方向に長尺状に切り欠くことにより形成され、上記ナットより内側の上記コンクリート型枠用セパレータ端部を支持する長尺状のセパレータ支持溝部と、上記セパレータ支持溝部の両側の前側面それぞれにおける上記セパレータ支持溝部の長手方向の高さが異なる位置に、上記セパレータ支持溝部の中央に向かって突出して設けられ、それらの先端部間の最小間隔が上記ナットより内側の上記コンクリート型枠用セパレータ端部の外径より小さく、上記ナットより内側の上記コンクリート型枠用セパレータ端部の抜け止めを行う一対の突部と、
を有することを特徴とするコンクリート型枠用セパレータ連結金具。
【請求項２】
請求項１に記載のコンクリート型枠用セパレータ連結金具において、
上記連結金具本体は、さらに、
上記左右両側面それぞれの一部に切り込みを入れて内側に折り曲げ、上記左右両側面それぞれから上記連結金具本体内に突出し、その最小間隔が上記コンクリート型枠用セパレータの端部の外径より小さい間隙を有し、かつ、その先端部により上記ナットより外側に突出する上記コンクリート型枠用セパレータ端部の抜け止めを行う一対の側面折り曲げ部を有する、
ことを特徴とするコンクリート型枠用セパレータ連結金具。
【請求項３】
請求項２に記載のコンクリート型枠用セパレータ連結金具において、
上記一対の突部のうち、上記セパレータ支持溝部の長手方向における高さの高い方の突部は、
上記側面折り曲げ部の先端部より低い位置になるように設ける、
ことを特徴とするコンクリート型枠用セパレータ連結金具。
【請求項４】
請求項１〜請求項３のいずれか一の請求項に記載のコンクリート型枠用セパレータ連結金具において、
上記一対の突部のうち、上記ネジ棒に対する上記型枠締付金具による締め付けによる上記連結金具本体の回転方向とは反対側の突部の上記セパレータ支持溝部の長手方向における高さを高くする、
ことを特徴とするコンクリート型枠用セパレータ連結金具。
【発明の詳細な説明】
【技術分野】
【０００１】
本発明は、所定間隔離された一対のコンクリート型枠に取り付けられ、当該一対のコンクリート型枠間に挿入されるコンクリート型枠用セパレータにおいて、ナットが螺着されたコンクリート型枠用セパレータの両端部を支持するコンクリート型枠用セパレータ連結金具に関する。
【背景技術】
【０００２】
例えば、梁型枠などの所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具について、本件出願人は以前出願して公開されており（例えば、特許文献１参照。）、また、他者からも出願されて公開・意匠登録等されている（例えば、特許文献２，３参照。）。
【先行技術文献】
【特許文献】
【０００３】
【特許文献１】特開２００７−０４６３２５号公報
【特許文献２】特開２００７−１５４５１５号公報
【特許文献３】意匠登録第１１４０１３７号公報
【発明の概要】
【発明が解決しようとする課題】
【０００４】
特許文献１に記載の従来のコンクリート型枠用セパレータ連結金具は、基本的には一対の折り曲げ片のみで抜け止めを行うものである。ところが、コンクリート型枠用セパレータを接続する際の極端な施工誤差や、コンクリート打設中のバイブレータなど、想定を超えた使用条件下では、連結金具からコンクリート型枠用セパレータが抜け出すおそれがあり、改善の余地があった。
【０００５】
すなわち、一般的に、一対のコンクリート型枠内面のそれぞれの対向位置に一対の連結金具を設ける場合、必ず、多少の施工誤差が生じ、厳密な同一直線上には取り付けられない。例えば、一組の連結金具の一方が上下方向に大きくずれて取り付けられた場合、コンクリート型枠用セパレータの一方側（先入れ側）の端部を連結金具に打ち込んだ後、他方側（後入れ側）の端部を打ち込む際に、一方側（先入れ側）が、テコの反力によって外れてしまうことがある。
【０００６】
また、上記特許文献２，３の従来技術であっても、左右の両側面それぞれの一部に切り込みを入れて内側に折り曲げて形成したメインストッパーである一対の突部の他に、連結金具本体の前側面のセパレータ支持溝に突起等のサブストッパーを設けてコンクリート型枠用セパレータの抜け出しを抑制するようにしているが、単に上方からコンクリート型枠用セパレータを抑えているに過ぎないため、コンクリートの打設中に、バイブレータ等がコンクリート型枠用セパレータに当たると、その振動によって、コンクリート型枠用セパレータが外れることがあった。特に、壁厚が施工誤差等によりプラスになった場合、上方からコンクリート型枠用セパレータが浮き易く、簡単に外れることがあった。
【０００７】
また、コンクリート型枠用セパレータ連結金具は、コンクリート型枠の外側からフォームタイ（登録商標）等の型枠締付金具により、そのネジ棒を締め付けてコンクリート型枠の内側に固定しているが、その際、コンクリート型枠用セパレータ連結金具が供回りをしてコンクリート型枠に対し斜めに取付けられることがあり、このような場合、上手くコンクリート型枠用セパレータを連結金具本体の前側面のセパレータ支持溝に入れないと、さらに、コンクリート型枠用セパレータ連結金具が緩む方向に回転してしまい、コンクリート型枠用セパレータが外れるおそれがある、という問題もある。
【０００８】
そこで、本発明は、コンクリート型枠用セパレータが抜け出し難い、コンクリート型枠用セパレータ連結金具を提供することを目的とする。
【課題を解決するための手段】
【０００９】
上記目的を達成するため、本発明のコンクリート型枠用セパレータ連結金具は、所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具であって、コンクリート型枠に挿入され、型枠締付金具により当該コンクリート型枠の外側から締め付け固定されるネジ棒と、上記ネジ棒先端に取り付けられた後側面と、左右両側面と、底面と、前側面とを有する上部開放形状で、上記コンクリート型枠用セパレータ端部を支持する連結金具本体とを有し、上記連結金具本体は、上記セパレータ端部のナットを収容するナット収容部と、上記前側面の中央を縦方向に長尺状に切り欠くことにより形成され、上記ナットより内側の上記コンクリート型枠用セパレータ端部を支持する長尺状のセパレータ支持溝部と、上記セパレータ支持溝部の両側の前側面それぞれにおける上記セパレータ支持溝部の長手方向の高さが異なる位置に、上記セパレータ支持溝部の中央に向かって突出して設けられ、それらの先端部間の最小間隔が上記ナットより内側の上記コンクリート型枠用セパレータ端部の外径より小さく、上記ナットより内側の上記コンクリート型枠用セパレータ端部の抜け止めを行う一対の突部と、を有することを特徴とするコンクリート型枠用セパレータ連結金具である。
ここで、上記連結金具本体は、さらに、上記左右両側面それぞれの一部に切り込みを入れて内側に折り曲げ、上記左右両側面それぞれから上記連結金具本体内に突出し、その最小間隔が上記コンクリート型枠用セパレータの端部の外径より小さい間隙を有し、かつ、その先端部により上記ナットより外側に突出する上記コンクリート型枠用セパレータ端部の抜け止めを行う一対の側面折り曲げ部を有する、ようにしても勿論よい。
また、上記一対の突部のうち、上記セパレータ支持溝部の長手方向における高さの高い方の突部は、上記側面折り曲げ部の先端部より低い位置になるように設ける、ようにしても勿論よい。
また、上記一対の突部のうち、上記ネジ棒に対する上記型枠締付金具による締め付けによる上記連結金具本体の回転方向とは反対側の突部の上記セパレータ支持溝部の長手方向における高さを高くする、ようにしても勿論よい。
【発明の効果】
【００１０】
本発明のコンクリート型枠用セパレータ連結金具では、連結金具本体の前側面の中央に形成した長尺状のセパレータ支持溝部の両側に一対の突部を設けると共に、その一対の突部は、セパレータ支持溝部の長手方向の高さが異なる位置にずらして設けたので、一対の突部を同じ高さに設ける従来の場合より、一対の突部の先端部間の間隔を狭くすることができる。その結果、コンクリート型枠用セパレータを係止する際に、コンクリート型枠用セパレータが上方へ抜け出ようとしても、セパレータ支持溝部の長手方向の高さが異なる位置に設けた一対の突部により、コンクリート型枠用セパレータの抜け出しを効果的に抑止することができるので、従来よりセパレータを強固に支持することができる。
【図面の簡単な説明】
【００１１】
【図１】実施の形態のコンクリート型枠用セパレータ連結金具とセパレータとをコンクリート型枠に配置した状態を示す断面図である。
【図２】図１におけるＡ部分の部分断面図である。
【図３】本発明にかかる実施の形態のコンクリート型枠用セパレータ連結金具とセパレータとの外観を示す斜視図である。
【図４】（ａ），（ｂ）は、それぞれ、実施の形態のコンクリート型枠用セパレータ連結金具の連結金具本体の正面図、平面図の一例を示す図である。
【図５】（ａ），（ｂ）は、それぞれ、図４に示す実施の形態のコンクリート型枠用セパレータ連結金具の連結金具本体のＢ−Ｂ線断面図、Ｃ−Ｃ線断面図である。
【図６】実施の形態のコンクリート型枠用セパレータ連結金具の連結金具本体の回転方向等を示す図である。
【図７】実施の形態のコンクリート型枠用セパレータ連結金具の連結金具本体が傾いた場合の作用を示す図である。
【図８】実施の形態の他の例による連結金具本体が傾いた場合の作用を示す図である。
【図９】実施の形態のコンクリート型枠用セパレータ連結金具の他の例を示す図である。
【発明を実施するための形態】
【００１２】
以下、本発明に係るコンクリート型枠用セパレータ連結金具の実施の形態を、添付図面を参照しながら詳細に説明する。
【００１３】
図１は、実施の形態のコンクリート型枠用セパレータ連結金具１と、セパレータ２とを一対のコンクリート型枠４，４に配置した状態を示す断面図、図２は、図１におけるＡ部分の部分断面図、図３は、本発明にかかる実施の形態のコンクリート型枠用セパレータ連結金具１とコンクリート型枠用セパレータ（以下、セパレータと略す。）２との外観を示す斜視図である。
【００１４】
図１および図２に示すように、実施の形態のコンクリート型枠用セパレータ連結金具１は、所定間隔離され、鉄筋５が配筋された対向する一対のコンクリート型枠４，４に取り付けられ、当該一対のコンクリート型枠４，４間に挿入されるセパレータ２の両端部を支持するものである。なお、図１において、６はコンクリート型枠板４の外側からコンクリート型枠用セパレータ連結金具１を取り付けるフォームタイ、７，８はバタ材である。
【００１５】
コンクリート型枠用セパレータ連結金具１は、図２および図３に示すように、両コンクリート型枠板４，４の内側に取り付けられ、それぞれナット２ｃが螺合されているセパレータ２の両端部を支持する連結金具本体１１と、その連結金具本体１１に取付けられてその端部がコンクリート型枠板４を貫通して外側に伸びるネジ棒１２と、そのネジ棒１２に貫通して設けられる金属製円錐台状のコーン部材１３を有する。
【００１６】
連結金具本体１１は、図２および図３に示すように、ネジ棒１２先端に取り付けられる後側面１１１と、左側面１１２Ｌと、右側面１１２Ｒと、底面１１３と、前側面１１４とを有する上部開放形状で構成されている。
【００１７】
連結金具本体１１の後側面１１１には、図２や後述する図５（ｂ）に示すように、係合溝１１１ａが設けられており、その係合溝１１１ａに、ネジ棒１２の一端に設けたくびれ部１２ｃが回転可能に支持される。そして、ネジ棒１２先端の円盤部１２ａが連結金具本体１１内に収納された状態で取り付けられ、その円盤部１２ａが連結金具本体１１の後側面１１１に当り、連結金具本体１１からのネジ棒１２の抜け止めを図っている。なお、本発明では、ネジ棒１２にくびれ部１２ｃを設けるか否かは任意である。
【００１８】
また、連結金具本体１１の左右の両側面１１２Ｌ，１１２Ｒには、図３に示すように、それぞれの一部に上端から底面１１３に向かって切り込みを入れ、かつ、内側に折り曲げて、左右の両側面１１２Ｌ，１１２Ｒそれぞれから連結金具本体１１内に突出し、その最小間隔がセパレータ２先端のネジ部２ｂの外径より小さく、かつ、その先端部によりセパレータ２先端のネジ部２ｂを狭持する一対の側面折り曲げ部１１２Ｌ１，１１２Ｒ１を有する。
【００１９】
そして、図２および図３に示すように、その一対の側面折り曲げ部１１２Ｌ１，１１２Ｒ１と、左右の両側面１１２Ｌ，１１２Ｒと、前側面１１４とにより、セパレータ２先端のナット２ｃを収容するナット収容部１１ａを形成している。
【００２０】
また、連結金具本体１１の前側面１１４には、セパレータ２の軸部２ａの係止溝２ａ１の外径φ１とほぼ同じであるか、わずかに大きく、図上鉛直方向であって長尺状に切り欠かかれ、セパレータ２の軸部２ａを支持するセパレータ支持溝部１１４Ｃと、そのセパレータ支持溝部１１４Ｃの上部に突出して設けられ、その最小間隔がセパレータ２の軸部２ａの係止溝２ａ１の外径φ１より小さくセパレータ２の抜け止めを行う前側面抜け止め部である一対の突部１１４Ｌ１，１１４Ｒ１とを設けている。なお、本実施形態の特徴部分である一対の突部１１４Ｌ１，１１４Ｒ１の関係については、後で詳述する。また、本発明では、セパレータ２の軸部２ａに、係止溝２ａ１を設けるか否か任意である。
【００２１】
また、連結金具本体１１の底面１１３には、図２および後述する図４（ｂ）に示すように、水抜き孔１１３ａが形成されている。
【００２２】
また、ネジ棒１２の他端には、図２および図３に示すように、ネジ部１２ｂが形成されており、図２に示すように、コンクリート型枠板４に形成された通し穴４ａから外側に突出して、図１に示すように、コンクリート型枠板４の外側に設けたフォームタイ６やバタ材７，８を介してコンクリート型枠板４に固定される。
【００２３】
コーン部材１３は、図２等に示すように、プレス加工等により形成され、その内側端１３ａが連結金具本体１１の後側面１１１に接し、外側端１３ｂがコンクリート型枠板４の内面に接して、連結金具本体１１をコンクリート型枠板４に対して所定間隔離すものである。
【００２４】
セパレータ２は、図２および図３に示すように、軸部２ａの両端に、それぞれ、ネジ部２ｂが設けられており、ネジ部２ｂにはナット２ｃが取り付けられている。そして、セパレータ２を連結金具本体１１の上に仮置きし、ハンマー等により叩いて、ナット２ｃを連結金具本体１１のナット収容部１１ａに嵌め込み本置きする場合、このネジ部２ｂが、図２及び図３に示すように、一対の側面折り曲げ部１１２Ｌ１，１１２Ｒ１間に圧入され、その下方空間に嵌め込まれる。また、前述したように、セパレータ２の軸部２ａとネジ部２ｂの境界部分の外周には、係止溝２ａ１が形成されており、この軸部２ａの係止溝２ａ１が、突部１１４Ｌ１，１１４Ｒ１との間に圧入され、セパレータ支持溝部１１４Ｃ内に嵌め込まれる。
【００２５】
図４（ａ），（ｂ）は、それぞれ、実施の形態のコンクリート型枠用セパレータ連結金具１の連結金具本体１１の正面図、平面図の一例を示す図、図５（ａ），（ｂ）は、それぞれ、図４（ｂ）におけるＢ−Ｂ線断面図、Ｃ−Ｃ線断面図である。
【００２６】
図４（ａ）に示すように、連結金具本体１１の前側面１１４は、その中央部分を縦方向に、セパレータ２の軸部２ａの係止溝２ａ１の外径φ１とほぼ同じか、わずかに大きく切り欠かれた、セパレータ２の軸部２ａの係止溝２ａ１を支持する図上鉛直方向に長尺状のセパレータ支持溝部１１４Ｃが形成され、右側前側面１１４Ｒと、左側前側面１１４Ｌとに区分されている。
【００２７】
そして、本実施の形態のコンクリート型枠用セパレータ連結金具１では、図４（ａ）に示すように、右側前側面１１４Ｒと左側前側面１１４Ｌそれぞれにおける、セパレータ支持溝部１１４Ｃの長手方向の高さが異なる位置に、セパレータ支持溝部１１４Ｃの中心に向かって突出する一対の突部１１４Ｌ１，１１４Ｒ１を設けている。
【００２８】
ここで、本実施の形態のコンクリート型枠用セパレータ連結金具１では、図４（ａ）から明らかなように、セパレータ支持溝部１１４Ｃの長手方向、すなわち図上鉛直方向において、左側前側面１１４Ｌにおける突部１１４Ｌ１の設置位置を、右側前側面１１４Ｒにおける突部１１４Ｒ１の設置位置より高くずらしている。そして、本実施の形態のコンクリート型枠用セパレータ連結金具１では、一対の突部１１４Ｌ１，１１４Ｒ１の先端部間の最小間隔を、ナット２ｃより内側のセパレータ２の軸部２ａの係止溝２ａ１の外径より小さくして、セパレータ２の軸部２ａの抜け止めを行うように形成している。
【００２９】
ここで、本実施の形態のコンクリート型枠用セパレータ連結金具１では、一対の突部１１４Ｌ１，１１４Ｒ１の先端部間の水平方向の最小間隔は、その一対の突部１１４Ｌ１，１１４Ｒ１をセパレータ支持溝部１１４Ｃの長手方向の高さが異なる位置にずらして設けているので、一対の突部を同じ高さに設ける従来の場合より、その一対の突部１１４Ｌ１，１１４Ｒ１の先端部間の間隔を狭くすることができる。その結果、本実施の形態のコンクリート型枠用セパレータ連結金具１によれば、一対の側面折り曲げ部１１２Ｌ１，１１２Ｒ１と一対の突部１１４Ｌ１，１１４Ｒ１との２箇所でセパレータ２を係止する際に、セパレータ２が上方へ抜け出ようとしても効果的に抑止することができるので、従来よりセパレータを強固に支持することができ、バイブレータ等が当ったとしても、セパレータが抜け出し難くなる。
【００３０】
なお、本発明では、セパレータ支持溝部１１４Ｃの短手方向、すなわち図上水平方向における突部１１４Ｒ１の突出高さと、同方向における突部１１４Ｌ１の突出高さは、同じでも、異なっていてもどちらでも良いが、本実施の形態のコンクリート型枠用セパレータ連結金具１では、説明の便宜上、同じものとして説明する。
【００３１】
また、図４（ａ），（ｂ）に示すように、連結金具本体１１の左右の両側面１１２Ｌ，１１２Ｒそれぞれの一部に対称に切り込みを入れ、その後、内側に折り曲げて湾曲させ、左右の両側面１１２Ｌ，１１２Ｒそれぞれから連結金具本体１１内に突出し、セパレータ２先端のネジ部２ｂを支持するほぼ対称形状の一対の側面折り曲げ部１１２Ｌ１，１１２Ｒ１を設けている。ここで、側面折り曲げ部１１２Ｌ１，１１２Ｒ１間の最小間隔、すなわちそれらの先端部間の間隔ｈ３は、突部１１４Ｌ１，１１４Ｒ１先端間の水平間隔ｈ２１と同様に、セパレータ２のネジ部２ｂの外径φ２より小さくしている。ここで、本発明では、側面折り曲げ部１１２Ｒ１，１１２Ｌの形状は、直線的に折り曲げるだけでなく、湾曲させても勿論よい。また、本発明では、左右の両側面１１２Ｌ，１１２Ｒに設ける一対の側面折り曲げ部１１２Ｌ１，１１２Ｒ１は、左右の両側面１１２Ｌ，１１２Ｒそれぞれの上方から折り曲げずに、左右の両側面１１２Ｌ，１１２Ｒのそれぞれにおいて、途中部分に縦方向に２本の切り込みと、それらの下端側をつなぐ切り込みを入れて、その下端側が内側に張り出すように折り曲げた形状でも良い。なお、本発明では、連結金具本体１１の左右の両側面１１２Ｌ，１１２Ｒに側面折り曲げ部１１２Ｌ１，１１２Ｒ１を設けることは任意であり、側面折り曲げ部１１２Ｌ１，１１２Ｒ１を省略しても良い。
【００３２】
ここで、例えば、左右の前側面１１４Ｒ，１１４Ｌの内縁間の距離ｈ１を、８．５ｍｍ、セパレータ２の軸部２ａの係止溝２ａ１の外径φ１を６．２ｍｍ、セパレータ２のネジ部２ｂの最大外径φ２を７．９ｍｍ、軸部２ａの係止溝２ａ１部分以外の外径を６．９ｍｍとする。すると、本実施の形態の場合、セパレータ支持溝部１１４Ｃの短手方向、すなわち図上水平方向における突部１１４Ｒ１および突部１１４Ｌ１の突出高さを１．６ｍｍとすると、突部１１４Ｌ１，１１４Ｒ１の先端部間の図上水平方向の水平間隔ｈ２１は、５．３ｍｍとなる。ただし、突部１１４Ｌ１，１１４Ｒ１の先端部間を結ぶ斜めの直線間隔ｈ２’は、ほぼ５．９ｍｍとなり、セパレータ２の軸部２ａの係止溝２ａ１の外径φ１の６．２ｍｍ以下とする。
【００３３】
なお、側面折り曲げ部１１２Ｌ１，１１２Ｒ１の最小間隔、すなわちそれらの先端部間の間隔ｈ３は、７．８ｍｍとして、セパレータ２のネジ部２ｂの最大外径φ２の７．９ｍｍ以下とする
【００３４】
これにより、セパレータ２をハンマー等により叩く等して、セパレータ２両端が、それぞれ側面折り曲げ部１１２Ｌ１，１１２Ｒ１および突部１１４Ｌ１，１１４Ｒ１のそれぞれの隙間の水平間隔ｈ３，ｈ２１を、それらの素材の弾性に抗しながら乗り越えて連結金具本体１１内の所定位置に嵌め込まれた本置き状態では、セパレータ支持溝部１１４Ｃの長手方向の設置高さが異なる突部１１４Ｌ１，１１４Ｒ１と、同方向に設置高さが同じ側面折り曲げ部１１２Ｌ１，１１２Ｒ１とにより、セパレータ２の上方への抜け止めを図ることになる。
【００３５】
ところで、本実施の形態のコンクリート型枠用セパレータ連結金具１の連結金具本体１１は、図１や図２に示すように、コンクリート型枠４の外側で、ネジ棒１２にフォームタイ６を取付け、図６に示すように、フォームタイ６を矢印Ｄの方向に回転させてコンクリート型枠用セパレータ連結金具１をコンクリート型枠４に取り付けている。そのため、例えば、図７に示すように、Ｄ方向へのフォームタイ６の回転により、連結金具本体１１もＤ方向に供回りして傾くことがある。
【００３６】
ここで、本実施の形態のコンクリート型枠用セパレータ連結金具１では、図４（ａ）や、図６および図７に示すように、セパレータ支持溝部１１４Ｃの長手方向、すなわち図上鉛直方向において、ネジ棒１２に対するフォームタイ６による締め付けにより連結金具本体１１の回転方向Ｄとは反対側である、左側前側面１１４Ｌにおける突部１１４Ｌ１の設置位置を、右側前側面１１４Ｒにおける突部１１４Ｒ１の設置位置より高く形成しているので、連結金具本体１１がＤ方向に供回りして図７に示すように傾いた場合、突部１１４Ｒ１の先端部と、突部１１４Ｌ１の先端部とを結ぶ直線の傾きがさらに大きくなり、突部１１４Ｒ１の先端部と、突部１１４Ｌ１の先端部との水平間隔ｈ２２が、図６に示す連結金具本体１１が傾いていない場合の水平間隔ｈ２１と比較して小さくなる。
【００３７】
そのため、本実施の形態のコンクリート型枠用セパレータ連結金具１では、Ｄ方向へのフォームタイ６の回転により、連結金具本体１１もＤ方向に供回りして傾いて取り付けられていた際に、セパレータ２両端がそれぞれ側面折り曲げ部１１２Ｌ１，１１２Ｒ１および突部１１４Ｌ１，１１４Ｒ１のそれぞれの隙間の水平間隔ｈ３，ｈ２２を、それらの素材の弾性に抗しながら乗り越えて連結金具本体１１内の所定位置に嵌め込まれた本置きされた場合、突部１１４Ｒ１の先端部と、突部１１４Ｌ１の先端部との水平間隔ｈ２２（図７参照。）が、連結金具本体１１が傾いていない場合の水平間隔ｈ２１（図６参照。）と比較して小さくなるので、連結金具本体１１が傾いていない場合よりも、よりセパレータ２の上方への抜け止めを図ることができることになる。
【００３８】
なお、本実施の形態とは異なり、セパレータ支持溝部１１４Ｃの長手方向、すなわち図上鉛直方向において、ネジ棒１２に対するフォームタイ６による締め付けにより連結金具本体１１の回転方向Ｄ側とは反対方向Ｅ側の左側前側面１１４Ｌにおける突部１１４Ｌ２の設置位置を、右側前側面１１４Ｒにおける突部１１４Ｒ２の設置位置より低く形成した場合には、図８に示すように、突部１１４Ｒ１の先端部と、突部１１４Ｌ１の先端部とを結ぶ直線の傾きがいったん水平方向に近付こうとするので、突部１１４Ｒ１の先端部と、突部１１４Ｌ１の先端部との水平間隔ｈ２３が、図６に示す連結金具本体１１が傾いていない場合の水平間隔ｈ２１より大きくなるので、連結金具本体１１が傾いていない場合よりも、セパレータ２が上方へ抜け易くなる。
【００３９】
また、セパレータ２を連結金具本体１１に本置きする際に、連結金具本体１１が傾いていると、仮置きしたセパレータ２が簡単に落下したり、仮置きしたセパレータ２をハンマー等により叩いた際に、連結金具本体１１もさらにＤ方向へ回転して、セパレータ２を本置きできない場合がある。特に、連結金具本体１１がさらにＤ方向に回転すると、連結金具本体１１の取り付けが緩むことになるので、連結金具本体１１がＤ方向とは逆のＥ方向に戻すことができると、連結金具本体１１の取り付けが強固になり、連結金具本体１１の取り付けの点でも望ましい。
【００４０】
また、本実施の形態コンクリート型枠用セパレータ連結金具１では、図４（ａ）や、図６および図７等に示すように、セパレータ支持溝部１１４Ｃの長手方向、すなわち図上鉛直方向において、左側前側面１１４Ｌにおける突部１１４Ｌ１の設置位置を、右側前側面１１４Ｒにおける突部１１４Ｒ１の設置位置より高く形成しているので、側面折り曲げ部１１２Ｌ１，１１２Ｒ１先端部間に仮置きされたセパレータ２を下方にハンマー等により叩いて本置きする場合、セパレータ２は、両側面１１２Ｌ，１１２Ｒの先端部間に仮置きされた状態からセパレータ支持溝部１１４Ｃの長手方向の取付け位置の高い左側前側面１１４Ｌの突部１１４Ｌ１に先に当ることになる。すると、ハンマー等により叩かれたセパレータ２は、セパレータ支持溝部１１４Ｃの長手方向の取付け位置の高い突部１１４Ｌ１を介して、連結金具本体３全体をＤ方向とは逆方向のＥ方向に回転するように押すことになる。これにより、連結金具本体１１が締め付け方向のＥ方向に回転して、連結金具本体１１がより強固にコンクリート型枠４に取り付けられることになり、連結金具本体１１の取り付けがより強固になることも期待できることになる。なお、図８に示すように、本実施の形態とは異なり、左側前側面１１４Ｌにおける突部１１４Ｌ１の設置位置を、右側前側面１１４Ｒにおける突部１１４Ｒ１の設置位置より低く形成した場合には、セパレータ支持溝部１１４Ｃの長手方向の取付け位置の高い右側前側面１１４Ｒの突部１１４Ｒ４に先に当ることになるので、連結金具本体１１がさらにＤ方向に回転して、連結金具本体１１の取り付けが緩むおそれがある。
【００４１】
従って、本実施の形態のコンクリート型枠用セパレータ連結金具１では、セパレータ支持溝部１１４Ｃの長手方向、すなわち図上鉛直方向において、一対の突部１１４Ｒ，１１４Ｌのうち、ネジ棒１２に対するフォームタイ６による締め付けにより連結金具本体１１の回転方向Ｄとは反対側である、左側前側面１１４Ｌにおける突部１１４Ｌ１の設置位置を、右側前側面１１４Ｒにおける突部１１４Ｒ１の設置位置より高く形成しているので、一対の突部を同じ高さに設ける従来の場合より、一対の突部１１４Ｒ，１１４Ｌの先端部間の間隔を狭くすることができるので、従来よりもセパレータ２が上方へ抜けることを抑制することができると共に、たとえ、フォームタイ６のＤ方向への回転により、連結金具本体１１もＤ方向に供回りして傾いて取り付けられていた場合でも、突部１１４Ｌ１および突部１１４Ｒ１の取り付け位置が同じ従来の支持方法と較べて、より強固にセパレータ２が上方へ抜けることを抑制することができる。
【００４２】
特に、本実施の形態のコンクリート型枠用セパレータ連結金具１では、同じコンクリート型枠用セパレータ連結金具１を左右両側のコンクリート型枠板４，４にそれぞれ取り付けると、左側のコンクリート型枠板４の取り付けられたコンクリート型枠用セパレータ連結金具１と、右側のコンクリート型枠板４の取り付けられたコンクリート型枠用セパレータ連結金具１とでは、前後方向で逆側、すなわち対角線となる左側前側面１１４Ｌにおける突部１１４Ｌ１の設置位置が右側前側面１１４Ｒにおける突部１１４Ｒ１の設置位置より高くなるので、この点でも、よりさらに強固にセパレータ２が上方へ抜けることを抑制することが可能となる。
【００４３】
また、本実施の形態では、図４（ａ）に示すように、突部１１４Ｌ１，１１４Ｒ１のうち、セパレータ支持溝部１１４Ｃの長手方向、すなわち図上鉛直方向における高さの高い左側前側面１１４Ｌにおける突部１１４Ｌ１の先端部を、側面折り曲げ部１１２Ｌ１，１１２Ｒ１の先端部より低い位置になるように設けている。これにより、本実施の形態では、セパレータ２を連結金具本体１１に仮置きした場合、セパレータ２は、セパレータ支持溝部１１４Ｃの長手方向の設置高さが同じ側面折り曲げ部１１２Ｌ１，１１２Ｒ１上に仮置きされ、セパレータ支持溝部１１４Ｃの長手方向の設置高さが異なる突部１１４Ｌ１，１１４Ｒ１上に仮置きされることはないので、セパレータ支持溝部１１４Ｃの長手方向における突部１１４Ｌ１，１１４Ｒ１の設置高さを異なるようにしても、セパレータ２を連結金具本体１１に安定して仮置きすることが可能となる。
【００４４】
なお、本発明では、突部１１４Ｌ１，１１４Ｒ１のうち、セパレータ支持溝部１１４Ｃの長手方向、すなわち図上鉛直方向における高さの高い左側前側面１１４Ｌにおける突部１１４Ｌ１の先端部を、側面折り曲げ部１１２Ｌ１，１１２Ｒ１の先端部より低い位置になるように設けることは、任意であるが、安定した仮置きのことを考慮すると、突部１１４Ｌ１，１１４Ｒ１の先端部は、側面折り曲げ部１１２Ｌ１，１１２Ｒ１の先端部と同じ高さか、側面折り曲げ部１１２Ｌ１，１１２Ｒ１の先端部より低い位置にすることが望ましい。
【００４５】
また、前記実施の形態では、連結金具本体１１本体の前側面部１１４にセパレータ支持溝部１１４Ｃの長手方向で設置位置の異なる一対の突部１１４Ｌ１，１１４Ｒ１を設けると共に、左右両側面部１１２Ｒ，１１２Ｌに側面折り曲げ部１１２Ｌ１，１１２Ｒ１を設けて説明したが、本発明では、これに限らず、左右両側面部１１２Ｒ，１１２Ｌに側面折り曲げ部１１２Ｌ１，１１２Ｒ１を設けるか否かは任意であり、側面折り曲げ部１１２Ｌ１，１１２Ｒ１を省略しても勿論よい。
【００４６】
また、本発明では、供回り等による連結金具本体１１のＤ方向への傾きを考慮しないのであれば、図８に示すように、セパレータ支持溝部１１４Ｃの長手方向、すなわち図上鉛直方向において、連結金具本体１１の回転方向Ｄ側とは反対方向Ｅ側の左側前側面１１４Ｌにおける突部１１４Ｌ２の設置位置を、右側前側面１１４Ｒにおける突部１１４Ｒ２の設置位置より低く形成するようにしても勿論よい。
【００４７】
また、本発明では、セパレータ支持溝部１１４Ｃの長手方向、すなわち図上鉛直方向において、左側前側面１１４Ｌにおける突部の設置位置と、右側前側面１１４Ｒにおける突部の設置位置とを変えれば十分であるので、図９に示すように、セパレータ支持溝部１１４Ｃの長手方向、すなわち図上鉛直方向において、左側前側面１１４Ｌにおける突部１１４Ｌ３の設置位置を、右側前側面１１４Ｒにおける突部１１４Ｒ３の設置位置より高くしつつも、突部１１４Ｒ３，１１４Ｌ３の底辺１１４Ｒ３１，１１４Ｌ３１を水平線とするようにしても勿論良い。
【符号の説明】
【００４８】
１  コンクリート型枠用セパレータ連結金具
１１  連結金具本体
１１ａ  ナット収容部
１１１  外側面
１１２Ｌ  左側面
１１２Ｒ  右側面
１１２Ｌ１，１１２Ｒ１  側面折り曲げ部
１１３  底面
１１４  前側面
１１４Ｌ１〜６，１１４Ｒ１〜６  突部（前側面抜け止め部）
１１４Ｃ  セパレータ支持溝部
１２  ネジ棒
１３  コーン部材
２  コンクリート型枠用セパレータ
２ａ  軸部
２ｂ  ネジ部
２ｃ  ナット
４ ，４  コンクリート型枠板
５  鉄筋
６  フォームタイ（型枠締付金具）
７，８  バタ材
【図１】
2012122273.tif 000003
【図２】
2012122273.tif 000004
【図３】
2012122273.tif 000005
【図４】
2012122273.tif 000006
【図５】
2012122273.tif 000007
【図６】
2012122273.tif 000008
【図７】
2012122273.tif 000009
【図８】
2012122273.tif 000010
【図９】
2012122273.tif 000011